(57)【特許請求の範囲】
【請求項１】
枠状のフレームと、前記枠状のフレーム内に収納されるプリント基板と、前記枠状のフレームの外側面を覆うカバーとからなるチューナーであって、
前記枠状のフレームの底面及びその底面に隣接する側面から突き出した複数組の取り付け足部を備え、
前記取り付け足部は、枠状のフレームの底面に設けられた縦形取り付け足及びその底面に隣接する側面と直交する方向に突き出して設けられた伏せ形取り付け足とからなり、
前記枠形フレームの側面方向に突出すると共に、その先端が前記枠形フレームの底面側に折り曲げられている前記プリント基板から導出されているコネクタピンとを備える
チューナー。
【発明の詳細な説明】
【０００１】
【発明の属する技術分野】
本発明は、テレビジョン、ビデオデッキ等に使用されるチューナーケース構造に関するもので、特に、チューナーを取り付ける際の取り付け形態が少なくとも２通り選択できるようにしたチューナーに関する。
【０００２】
【従来の技術】
テレビジョンやビデオ用のチューナー用のケースは、図７（ａ）に示されるような縦形取り付け構造、図７（ｂ）に示されるような伏せ形取り付け構造と、２種類あった。
【０００３】
縦形取り付け用のチューナー１００ａは、通常図７（ａ）で示すように、基板５１の所定の位置に形成されている取り付け穴に縦形取り付け足１１０を差し込むことにより基板５１に取り付けられ、さらに、チューナー回路を形成している内部の基板のコネクタピン１３０も基板５１の配線パターンに対して差し込まれている。
【０００４】
また、伏せ形取り付け用のチューナーは、図７（ｂ）で示すように、テレビジョン受像機、又はビデオの基板５２の取り付け穴に伏せ形取り付け足１２０を差し込むことにより、基板５２に取り付けられ、同時にチューナーケース内の基板のコネクタピン１４０も基板５２に差し込まれる。
【０００５】
従来のチューナー用ケースは、上記した図７（ａ）、（ｂ）に示されるように、同一機能のチューナーであっても、一般に縦形と伏せ形の二種類のケースが用意されていた。
【０００６】
【発明が解決しようとする課題】
上記のように、同一の機能を持ったチューナーであっても、テレビジョンやビデオに取り付ける場合、そのテレビジョンやビデオの内部構造の制約によって、チューナーの取り付け形態が縦形取り付けと伏せ形取り付けの両用があり、チューナーケースを両用の取り付け形態に合わせて２種類用意しなければならなかった。
【０００９】
本発明のチューナーは、枠状のフレームと、前記枠状のフレーム内に収納されるプリント基板と、前記枠状のフレームの外側面を覆うカバーとからなるチューナーであって、前記枠状のフレームの底面及びその底面に隣接する側面から突き出した複数組の取り付け足部を備え、前記取り付け足部は、枠状のフレームの底面に設けられた縦形取り付け足及びその底面に隣接する側面と直交する方向に突き出して設けられた伏せ形取り付け足とからなり、前記枠形フレームの側面方向に突出すると共に、その先端が前記枠形フレームの底面側に折り曲げられている前記プリント基板から導出されているコネクタピンとを備えるチューナーである。
【００１０】
【発明の実施の形態】
図１は、本発明のチューナーに適用するチューナーケースのフレームを斜視図で示した実施の形態の一例を示すもので、チューナー用ケース１０Ａは、図の側面側に、４本の縦形取り付け足１１ａ、１１ｂ、１１ｃ、１１ｄを有し、底面側にも４本の伏せ形取り付け足１２ａ、１２ｂ、１２ｃ、１２ｄを有している。なお、このフレームの内部は適宜チューナー回路基板間をシールドする壁が設けられるが、他の構造は、従来のチューナー用ケースと変らないので、説明を省略する。
【００１１】
図２は、本発明のチューナーケース１０Ａによって組み立てられたチューナー１０Ｂの斜視図であって、側面側に４本の縦形取り付け足１１ａ、１１ｂ、１１ｃ、１１ｄと、チューナーケース内の配線基板から導出された縦形取り付け用コネクタピン１３が示されている。そしてチューナーを伏せて使用するときのために、底面側に４本の伏せ形取り付け足１２ａ、１２ｂ、１２ｃ、１２ｄを備えている。さらに、チューナーケース内に搭載されているチューナー配線基板から導出されている伏せ形取り付け用コネクタピン１４が示されている。正面側の端子２０は，例えばＶＨＦ、又はＵＨＦ及びＢＳ又はＣＳ用のコネクタであり、ケースの表裏面にはカバー３１等が取り付けられている。なお、縦形のコネクタピン１３及び伏せ形取り付け用のコネクタピン１４は、チューナーの取り付け方向によってどちらか一方のみが取り付けられていてもよい。他の構造は、従来のチューナーと変らないので、説明を省略する。
【００１２】
次に、前記チューナーを基板に取り付けた状態を説明する。図３に示す縦形取り付けの場合、チューナー１０Ｂは、縦形取り付け足１１（ａ、ｂ、ｃ、ｄ）を基板５１の取り付け穴（図示なし）に差し込み、さらに縦形取り付け用コネクタピン１３も同じ基板に差し込まれ、取り付けられる。そして、コネクタピン１３及び取り付け足１１（ａ、ｂ、ｃ、ｄ）は、共に半田フロー等によって基板に実装される。
【００１３】
また、本発明の場合は、図４に示す伏せ形取り付けの形態とすることができる。すなわち、チューナー１０Ｂは、伏せ形取り付け足１２（ａ、ｂ、ｃ、ｄ）を基板５２の取り付け穴（図示なし）に差し込み、同時に伏せ形取り付け用コネクタピン１４も差し込まれ、基板５２に対して固定される。
【００１４】
本発明の実施の形態の他の例としている、図５に示す実施例では、チューナー１０Ｃは、内部に収納されているチューナー基板から引き出されているピンが先が鈎形になった延長部１５ａを設けたコネクタピン１５とされている。そして、伏せ形取り付けの場合、図のようにチューナー１０Ｃは、該コネクタピン１５専用の差込端子に該鈎形コネクタピン１５を、伏せ形取り付け足１２と共に基板に接続する。
【００１５】
この実施例では、縦形取り付けをする場合、鈎形コネクタピン１５の延長部１５ａを切断して、前記図３で示した場合と同様に、取り付けることができる。したがって、この実施例の場合、チューナーケース内に収納されている回路基板のコネクタピンも統一したものにでき、より簡素化されたチューナーを得ることができる。なお、図５中の３０は、回路基板の一部、３２はケースカバーを示している。
【００１６】
本発明のチューナーケースのフレームの実施の形態の他の例としている、図６に示す実施例では、チューナーケース１０ｄは、縦形取り付け足１１を、１１ａ′、１１ｂ′、１１ｃ′の三本としている。これは、伏せ形の取り付け位置で、一本の縦形取り付け足が、取り付けの際、テレビジョンやビデオの内部部品と当たってしまうため、削除したものであるが、このように取り付け足は４本に限ることなく、縦形の取り付けの場合でも同様の構成をとることができる。
【００１７】
【発明の効果】
本発明は、１つのケースで縦形取り付けと、伏せ形取り付けの両用の機能を持たせているので、生産する側にとっては、
（１）２つの取り付け形態の機種に必要とするチューナーが１機種で済むため、管理がやりやすく、生産性が良くなり、さらに、
（２）縦形取り付けチューナーと、伏せ形取り付けチューナーを作る場合と比して、金型の製作コストが半分となる、という効果がある。
【００１８】
又、使用する側にとっては、２つの取り付け形態を持つチューナーを縦形として使うか、伏せ形として使うか選択するのみでよく、従来のように２種類のチューナーを在庫として保管する必要がなくなり、管理が容易になる。
【図面の簡単な説明】
【図１】図１は、本発明のチューナーケースの斜視図で、縦形取り付け足が４本の一般的な例。
【図２】図２は、本発明のチューナーケースを用いて組み立てられたチューナーを示す斜視図。
【図３】図３は、本発明のチューナーを縦形に取り付けた場合の側面図及び背面図。
【図４】図４は、本発明のチューナーを伏せ形に取り付けた場合の側面図及び背面図。
【図５】図５は、本発明の別の実施例のチューナーの斜視図。
【図６】図６は、本発明の別の実施例のチューナーケースを示す斜視図。
【図７】図７は、従来例を縦形取り付けチューナー及び伏せ形取り付けチューナー取り付け状態を示す側面図。
【符号の説明】
１０：（チューナー）ケース、１１ａ、１１ｂ、１１ｃ、１１ｄ：縦形取り付け足、１２ａ、１２ｂ、１２ｃ、１２ｄ：伏せ形取り付け足
【図１】
0004269444.tif 000002
【図２】
0004269444.tif 000003
【図３】
0004269444.tif 000004
【図４】
0004269444.tif 000005
【図５】
0004269444.tif 000006
【図６】
0004269444.tif 000007
【図７】
0004269444.tif 000008